(57)【要約】      （修正有）【課題】圧着シーラーを要せずに葉書にできる払込取扱票用シートを提供する。【解決手段】縦区切り線２と横区切り線３により、第一情報記載区画１０、第二情報記載区画２０、粘着区画３０、切り離し区画４０の４つの葉書サイズの矩形区画に分けられ、縦区切り線及び横区切り線で四つ折りすることで、葉書サイズとなり、第一情報記載区画と第二情報記載区画と粘着区画と切り離し区画とが隣接し、粘着区画は、一方面に強粘着層及び強粘着層を被覆する第一剥離紙４２を有し、他方面に再剥離粘着層及び再剥離粘着層を被覆する第二剥離紙を有し、第一情報記載区画の一方面及び粘着区画の再剥離粘着剤層形成面の少なくとも一方が払込取扱票情報記入部とされ、第一情報記載区画又は第二情報記載区画の他方面が宛名情報記入部とされている、払込取扱票用シート。【選択図】図１
2019043057.tif 000002
【特許請求の範囲】
【請求項１】
交差する縦区切り線と横区切り線とによって、
第一情報記載区画、第二情報記載区画、粘着区画及び切り離し区画の４つの葉書サイズの矩形区画に分けられ、前記縦区切り線及び横区切り線で四つ折りすることで、葉書サイズとなり、
前記第一情報記載区画と第二情報記載区画とが縦区切り線を挟んで折り返し可能に隣接し、
前記粘着区画と前記切り離し区画とが縦区切り線を挟んで切り離し可能に隣接し、
前記第一情報記載区画と前記切り離し区画とが横区切り線を挟んで切り離し可能に隣接し、
前記第二情報記載区画と前記粘着区画とが横区切り線を挟んで折り返し可能に隣接し、
前記粘着区画は、一方面に強粘着層及びこの強粘着層を被覆する第一剥離紙とをこの順に有し、他方面に再剥離粘着層及びこの再剥離粘着層を被覆する第二剥離紙とを有し、
前記第一情報記載区画の一方面及び粘着区画の再剥離粘着剤層形成面の少なくとも一方が払込取扱票情報記入部とされ、
前記第一情報記載区画又は第二情報記載区画の他方面が宛名情報記入部とされている、
ことを特徴とする払込取扱票用シート。
【請求項２】
交差する縦区切り線と横区切り線とによって、
第一情報記載区画、第二情報記載区画、粘着区画及び切り離し区画の４つの葉書サイズの矩形区画に分けられ、前記縦区切り線及び横区切り線で四つ折りすることで、葉書サイズとなり、
前記第一情報記載区画と第二情報記載区画とが縦区切り線を挟んで折り返し可能に隣接し、
前記粘着区画と前記切り離し区画とが縦区切り線を挟んで隣接し、
前記第一情報記載区画と前記切り離し区画とが横区切り線を挟んで切り離し可能に隣接し、
前記第二情報記載区画と前記粘着区画とが横区切り線を挟んで折り返し可能に隣接し、
前記粘着区画は、一方面に強粘着剤層及びこの強粘着剤層を被覆する第一剥離紙層とをこの順に有し、他方面に再剥離粘着層を有し、
前記粘着区画の前記再剥離粘着層及び前記粘着区画の他方面と同一面である切り離し区画の他方面とを被覆し、切り離し区画と剥離しない第二剥離紙とを有し、
前記粘着区画と切り離し区画とは第二剥離紙以外が横区切り線で分離可能とされ、
前記第一情報記載区画の一方面及び粘着区画の再剥離粘着剤層形成面の少なくとも一方が払込取扱票情報記入部とされ、
前記第一情報記載区画又は第二情報記載区画の他方面が宛名情報記入部とされている、
ことを特徴とする払込取扱票用シート。
【請求項３】
切り離し区画に第二剥離紙と剥離可能な領域を有し、その領域の前記第二剥離紙に対面する側に強粘着剤層を有している、請求項２記載の払込取扱票用シート。
【発明の詳細な説明】
【技術分野】
【０００１】
本発明は、通信販売等で購入した商品等の代金を店舗等で支払う際に用いる払込取扱票を作成するための払込取扱票用シートに関する。
【背景技術】
【０００２】
通信販売の代金支払方法には、商品に払込取扱票を同梱し、商品到着後にその払込取扱票を用いて支払う方法がある。
【０００３】
この方法において、払込取扱票を破損・紛失等した場合に、払込取扱票の再発行・再送付する場合がある。
【０００４】
払込取扱票は、いわゆるコンビニエンス支払い用のものの場合であれば、用紙の坪量の規制がないことがほとんどであり、高坪量の圧着ハガキ用紙を使用することができる。このため、再送コストを低減させる為に必要事項を印字した後、Ｖ折やＺ折して圧着ハガキとして郵送できる、払込取扱票用シートが用いられることが多い。
【０００５】
ここで、上記の圧着ハガキ用紙を用いた払込取扱票用シートでは、圧着ハガキとするにあたっては、圧着シーラーを要するが、この圧着シーラーの導入・メンテナンスにはコストがかかる。払込取扱票の再発行部数が多い場合には、圧着シーラーを導入するメリットがあるが、支払い状況が良い通信販売業者や販売数が少ない通信販売業者の場合には、圧着シーラーの導入コストに見合う払込取扱票の再発行部数にならないこともある。
【０００６】
他方で、小部数のＶ折、Ｚ折のハガキ向けに、粘着層を有する擬似接着透明フィルムを用いるシートがある（下記特許文献２参照）。しかし、払込取扱票は、支払い時の受取印の捺印を要するためが、上記シートは擬似接着透明フィルム上に受取印の捺印をすることが難しく、使用に適さない。
【先行技術文献】
【特許文献】
【０００７】
【特許文献１】特開２００５-１９９６７７号公報
【特許文献２】特開平０７−１２１１１０号公報
【発明の概要】
【発明が解決しようとする課題】
【０００８】
そこで、本発明の主たる課題は、圧着シーラーを要せずに、容易に葉書サイズに折りたたむことができる払込取扱票用シートを提供することにある。
【課題を解決するための手段】
【０００９】
上記課題を解決した本発明は次記のとおりである。
【００１０】
＜請求項１記載の発明＞
交差する縦区切り線と横区切り線とによって、
第一情報記載区画、第二情報記載区画、粘着区画及び切り離し区画の４つの葉書サイズの矩形区画に分けられ、前記縦区切り線及び横区切り線で四つ折りすることで、葉書サイズとなり、
前記第一情報記載区画と第二情報記載区画とが縦区切り線を挟んで折り返し可能に隣接し、
前記粘着区画と前記切り離し区画とが縦区切り線を挟んで切り離し可能に隣接し、
前記第一情報記載区画と前記切り離し区画とが横区切り線を挟んで切り離し可能に隣接し、
前記第二情報記載区画と前記粘着区画とが横区切り線を挟んで折り返し可能に隣接し、
前記粘着区画は、一方面に強粘着層及びこの強粘着層を被覆する第一剥離紙とをこの順に有し、他方面に再剥離粘着層及びこの再剥離粘着層を被覆する第二剥離紙とを有し、
前記第一情報記載区画の一方面及び粘着区画の再剥離粘着剤層形成面の少なくとも一方が払込取扱票情報記入部とされ、
前記第一情報記載区画又は第二情報記載区画の他方面が宛名情報記入部とされている、
ことを特徴とする払込取扱票用シート。
【００１１】
＜請求項２記載の発明＞
交差する縦区切り線と横区切り線とによって、
第一情報記載区画、第二情報記載区画、粘着区画及び切り離し区画の４つの葉書サイズの矩形区画に分けられ、前記縦区切り線及び横区切り線で四つ折りすることで、葉書サイズとなり、
前記第一情報記載区画と第二情報記載区画とが縦区切り線を挟んで折り返し可能に隣接し、
前記粘着区画と前記切り離し区画とが縦区切り線を挟んで隣接し、
前記第一情報記載区画と前記切り離し区画とが横区切り線を挟んで切り離し可能に隣接し、
前記第二情報記載区画と前記粘着区画とが横区切り線を挟んで折り返し可能に隣接し、
前記粘着区画は、一方面に強粘着剤層及びこの強粘着剤層を被覆する第一剥離紙層とをこの順に有し、他方面に再剥離粘着層を有し、
前記粘着区画の前記再剥離粘着層及び前記粘着区画の他方面と同一面である切り離し区画の他方面とを被覆し、切り離し区画と剥離しない第二剥離紙とを有し、
前記粘着区画と切り離し区画とは第二剥離紙以外が横区切り線で分離可能とされ、
前記第一情報記載区画の一方面及び粘着区画の再剥離粘着剤層形成面の少なくとも一方が払込取扱票情報記入部とされ、
前記第一情報記載区画又は第二情報記載区画の他方面が宛名情報記入部とされている、
ことを特徴とする払込取扱票用シート。
【００１２】
＜請求項３記載の発明＞
切り離し区画に第二剥離紙と剥離可能な領域を有し、その領域の前記第二剥離紙に対面する側に強粘着剤層を有している、請求項２記載の払込取扱票用シート。
【発明の効果】
【００１３】
本発明によれば、圧着シーラーを要せずに、容易に葉書サイズに折りたたむことができる払込取扱票用シートを提供することにある。
【図面の簡単な説明】
【００１４】
【図１】本発明の第１実施形態に係る払込取扱票用シートの平面図である。
【図２】本発明の第１実施形態に係る払込取扱票用シートの裏面図である。
【図３】本発明の第１実施形態に係る払込取扱票用シートの層構造を説明するための図であり、図１及び図２のＡ−Ａ断面の一例を示す図である。
【図４】本発明の第１実施形態に係る払込取扱票用シートの使用方法を説明するための第１の図である。
【図５】本発明の第１実施形態に係る払込取扱票用シートの使用方法を説明するための第２の図である。
【図６】本発明の第１実施形態に係る払込取扱票用シートの使用方法を説明するための第３の図である。
【図７】本発明の第１実施形態に係る払込取扱票用シートの使用方法を説明するための第４の図である。
【図８】本発明の第１実施形態に係る払込取扱票用シートの使用方法を説明するための第５の図である。
【図９】本発明の第１実施形態に係る払込取扱票用シートの使用方法を説明するための第６の図である。
【図１０】本発明の第１実施形態に係る払込取扱票用シートの使用方法を説明するための第７の図である。
【図１１】本発明の第１実施形態に係る払込取扱票用シートの使用方法を説明するための第８の図である。
【図１２】本発明の第２実施形態に係る払込取扱票用シートの平面図である
【図１３】本発明の第２実施形態に係る払込取扱票用シートの裏面図である
【図１４】本発明の第２実施形態に係る払込取扱票用シートの層構造を説明するための図であり、図１２及び図１３のＡ−Ａ断面、Ｂ−Ｂ断面の一例を示す図である。
【図１５】本発明の第２実施形態に係る払込取扱票用シートの層構造を説明するための図であり、図１２及び図１３のＣ−Ｃ断面、Ｄ−Ｄ断面の一例を示す図である。
【図１６】本発明の第２実施形態に係る払込取扱票用シートの使用方法を説明するための第１の図である。
【図１７】本発明の第２実施形態に係る払込取扱票用シートの使用方法を説明するための第２の図である。
【図１８】本発明の第２実施形態に係る払込取扱票用シートの使用方法を説明するための第３の図である。
【図１９】本発明の第２実施形態に係る払込取扱票用シートの使用方法を説明するための第４の図である。
【図２０】本発明の第２実施形態に係る払込取扱票用シートの使用方法を説明するための第５の図である。
【図２１】本発明の第２実施形態に係る払込取扱票用シートの使用方法を説明するための第６の図である。
【図２２】本発明の第２実施形態に係る払込取扱票用シートの使用方法を説明するための第７の図である。
【図２３】本発明の第３実施形態に係る払込取扱票用シートの平面図である
【図２４】本発明の第３実施形態に係る払込取扱票用シートの層構造を説明するための図であり、図２３のＡ−Ａ断面の一例を示す図である。
【図２５】本発明の第３実施形態に係る払込取扱票用シートの使用方法を説明するための第１の図である。
【図２６】本発明の第３実施形態に係る払込取扱票用シートの使用方法を説明するための第２の図である。
【図２７】本発明の第３実施形態に係る払込取扱票用シートの使用方法を説明するための第３の図である。
【図２８】本発明の第３実施形態に係る払込取扱票用シートの使用方法を説明するための第４の図である。
【発明を実施するための形態】
【００１５】
次いで、本発明の実施形態を図１〜図２８を参照しながら以下に詳述する。まず、本発明の第１実施形態を図１〜１１を参照しながら説明し、さらに図１２〜図２８を参照しながら第１実施形態を基本として、一部構造の異なる第２〜第３の実施形態について、特にその異なる部分について説明する。
【００１６】
（第１実施形態）
「構造例」
本形態の払込取扱票用シート１は、図１及び図２に示すように、一枚のシート状をなし、交差する縦区切り線２と横区切り線３とによって、第一情報記載区画１０、第二情報記載区画２０、粘着区画３０及び切り離し区画４０の四つの葉書サイズの矩形区画に分けられている。但し、必ずしも各区画１０，２０，３０，４０の大きさが完全に一致している必要はない。
【００１７】
したがって、前記縦区切り線２及び横区切り線３で四つ折りすることで、葉書サイズとなる。なお、ここでの四つ折りとは、直角四つ折り、クロス折、十字折、８頁折とも称される折り方をいう。
【００１８】
前記第一情報記載区画１０と第二情報記載区画２０とは、縦区切り線２を挟んで折り返し可能に隣接する。また、第一情報記載区画１０の一方面は、払込取扱票として機能する払込取扱票情報記入部１１Ａ，１１Ｂとされている。より具体的には、払い込み時に店舗での店舗操作ができ、また、各控え部として機能するように、枠や、店舗で読み取るバーコード等のその枠に記載する内容を指定するための情報などの不変情報が、適宜に印刷によって形成されている。本実施形態は、特に、第一情報記載区画１０は、店舗控え部１１Ａ及び販売者控え部１１Ｂの二つの区画からなり、前記縦区切り線２と平行な区分けミシン目２Ａによって切り離し可能に区分けされている。
【００１９】
他方、本実施形態は、第二情報記載区画２０の他方面側は、宛名情報を記載するための宛名情報記載部２２とされている。したがって、この宛名情報記載部２２が表面に露出される態様で、葉書サイズにした状態にすることで、郵便はがきとして利用することができる。なお、宛名情報記載部２２は、第一情報記載区画１０の他方面側にあってもよい。
【００２０】
他方、本実施形態は、前記粘着区画３０と前記切り離し区画４０とが、縦区切り線２を挟んで切り離し可能に隣接しているとともに、前記第一情報記載区画１０と前記切り離し区画４０とが横区切り線３を挟んで切り離し可能に隣接し、前記第二情報記載区画２０と前記粘着区画３０とが横区切り線３を挟んで折り返し可能に隣接している。
【００２１】
本実施形態においては、各区切り線２、３は、特に好ましい形態として、各区画１０，２０，３０，４０を切り離し可能かつ容易に折り返せるようにするミシン目で形成されている。したがって、前記切り離し区画４０は、横区切り線３及び縦区切り線２において、第一情報記載区画１０及び粘着区画４０から切り離されるようになっている。さらに、好ましく、各区画１０，２０，３０，４０が容易意に切り離し可能となっている。このようにすると店舗などで支払いした際に各控え部１１Ｂ，２１を切り離しやすくなる。但し、本実施形態では、切り離し区画４０と隣接する他の区画１０，３０との間の区切り線以外は、容易に切り離しができる線でなくてもよい。
【００２２】
本実施形態では、前記切り離し区画４０は、例えば、払込取扱票用シート１の使用方法や適宜の情報を印刷することができる。
【００２３】
他方、図３に示すように、本実施形態に係る粘着区画３０は、第一情報記載区画１０における払込取扱票情報記入部１１Ａ，１１Ｂとして機能する不変情報等が印刷されている面と同じ一方面に、基紙層５上に強粘着剤層４１及びこの強粘着剤層４１を被覆する第一剥離紙４２とがこの順に形成されている。この第一剥離紙は、強粘着剤層と対面する部分に第一剥離層４５を有しており、第一再剥離粘着剤層に対して剥離可能に貼付されている。
【００２４】
そして、第二情報記載区画の宛名情報記載部２２と同じ面の他方面に、基紙層５上に再剥離粘着層４３及びこの再剥離粘着層４３を被覆する第二剥離紙４４とが形成されている。第二剥離紙４４は、再剥離粘着層４３と対面する部分に第二剥離層４６を有しており、第二再剥離粘着剤層４３に対して剥離可能に貼付されている。
【００２５】
ここで、本実施形態は、粘着区画３０の再剥離粘着剤層４３形成面も払込取扱票情報記入部１２とされている。粘着区画３０の再剥離粘着剤層４３形成面を払込取扱票情報記入部１２として機能させるには、例えば、払い込み時に店舗での店舗操作ができ、また、各控え部として機能するように、枠や、店舗で読み取るバーコード等のその枠に記載する内容を指定するための情報などの不変情報を、基紙上にあらかじめ適宜に印刷し、その上に前記不変情報が視認可能となるように透明等の再剥離粘着剤層を形成すればよい。なお、本実施形態においては第一情報記載区画１０が、販売者等の控えとなる部分とされ、粘着区画３０が払込者控えとなる部分とされている。但し、第一情報記載区画１０が、払込者控えとなる部分、粘着区画３０が販売者等の控えとなる部分とされていてもよい。
【００２６】
ここで、本実施形態の払込取扱票用シート１では、第一情報記載区画１０、第二情報記載区画２０及び切り離し区画４０が、一層であり粘着区画３０の基紙層５と同じ層となっている。つまり、本実施形態の払込取扱票用シート１では、一枚の基紙の粘着区画３０となる特定の部分の表裏に強粘着剤層４１及び再剥離粘着層４３が形成されているとともに、これを被覆するように剥離紙４２，４４が設けられている。但し、本発明の作用効果を妨げない範囲で、第一情報記載区画１０、第二情報記載区画２０及び切り離し区画４０を適宜の層構造とすることができる。
【００２７】
払込取扱票用シート１を構成する上記基紙５は、例えば、クラフト紙、上質紙、グラシン紙、パーチメント紙、レーヨン紙、コート紙等の払込取扱票に用いられる適宜の紙で形成することができる。坪量は略１２８ｇ／ｍ2であるのが望ましい。
【００２８】
強粘着剤層４１は、圧着シーラー等を必要としない粘着性の自着性を有する層であり、少なくとも横区切り線３によって折り返した際に、第二情報記載区画２０の対面する面に対して剥離不能に接着する層である。
【００２９】
また、再剥離粘着層４３は、圧着シーラー等を必要としない粘着性の自着性を有する層であり、少なくとも縦区切り線３によって折り返した際に、第一情報記載区画１０の対面する面に対して再剥離可能に接着する層である。
【００３０】
強粘着剤層４１を形成するための粘着剤としては、ホットメルト粘着剤、天然又は合成ゴム系、アクリル系、シリコーン系、ポリウレタン系、ポリエステル系、有機溶剤系、エマルジョン系の非剥離性粘着剤、水溶性エマルジョン系粘着剤などを用いることができる。
【００３１】
再剥離粘着層４３を形成するための粘着剤としては、ホットメルト粘着剤にシリコーンを配合するなどして再接着性を低下させたホットメルト系粘着剤、天然又は合成ゴム系、アクリル系、シリコーン系、ポリウレタン系、ポリエステル系、有機溶剤系、エマルジョン系の非剥離性粘着剤に亜鉛華、酸化チタン、シリカ、炭酸カルシウム等の既知の微粒子充填剤を配合して接着力を調整した微粒子充填系粘着剤、水溶性エマルジョン系粘着剤などを用いることができる。好ましくは、紙層内への浸透性が弱く、乾燥後の粘着性が極めて低く、粘着剤層の凝集破壊による好適な剥離機構を構築できる、仮止め接着剤とも称されるポリプロピレン酢酸ビニル共重合物等の水性エマルションを主成分とする粘着剤である。
【００３２】
他方、本実施形態の第一剥離紙４２及び第二剥離紙４４は、強粘着剤層４１及び再剥離粘着層４３を保護するシートであり、例えば、上記基紙５を構成する紙と同種の紙をベースとして、少なくとも剥離させるべき粘着剤層４１，４３に対面する部分に、シリコーン、長鎖アルキルポリマー、ポリオレフィン、アルキド樹脂、フッ素化合物等の既知の離型剤を層状、薄膜状、網目状に適宜配してなる既知の離型処理が施されて剥離層４５，４６が形成されているものである。なお、第一剥離紙４２及び第二剥離紙４４は、必ずしも紙に限らず樹脂フィルムや樹脂フィルムと紙とのラミネート紙であってもよい。また、第一剥離紙４２及び第二剥離紙４４はとは同じものでなくてもよい。
【００３３】
他方、上記のとおり本実施形態では、各区切り線２，３が切り離し可能なミシン目で形成されている。このミシン目２，３の種類やカットタイ比は、シートの剛性等を考慮して適宜に設計することができる。
【００３４】
「使用方法例」
次いで、第一実施形態の払込取扱票用シート１の使用方法を説明する。まず、図１及び図２に示す枚葉の状態において、通販会社等の払込取扱票の発行者やその委託先等において、宛名情報記載部２２への宛名情報や払込取扱票情報記入部１１Ａ，１１Ｂ等に必要な可変情報の印刷を行う。なお、粘着区画の払込取扱票情報記入部２１への可変情報は基紙の段階で行う。粘着区画に払込取扱票情報記入部を形成しない場合は、可変情報の印刷は必要ない。その場合、例えば、予め基紙に払込取扱票用シートの使用方法など使用者を特定しない不変情報を印刷しておくようにしてもよい。可変情報は、例えば、商品名、金額、バーコード、宛先等の個別情報である。すなわち、各控え部に同一の金額、同一の商品名等を印刷し、特定の商品等の払込取扱票として機能できるようにする。これらの印刷は適宜の印刷技術による。但し、宛名情報記載部２２への宛名の印刷は、必ずしもこの最初に行わなくてもよい。
【００３５】
次いで、図４に示すように、縦区切り線２及び横区切り線４を介して前記切り離し区画４０を第一情報記載区画１０及び粘着区画３０より切り離す。また、この切り離し区画４０の切り離しと同時又は前後において粘着区画４０における第一剥離紙４２を剥離し、強粘着剤層４１を露出させる。
【００３６】
切り離し区画４０を切り離し、第一剥離紙４２を剥離して図５に示すように略Ｌ字型形状としたならば、次いで、図６に示すように、粘着区画３０を、露出された強粘着剤層４１が、第二情報記載区画１０に対面するように、横区切り線３で折り返し、図７に示すように、前記強粘着剤層４１を介して第二情報記載区画２０と粘着区画３０とを剥離不能に接着した状態にする。
【００３７】
この状態において、その形状が２枚の葉書サイズの区画が長辺で隣接する大きさとなる。
【００３８】
次いで、図８に示すように粘着区画３０の第二剥離紙４４を剥離して、図９に示すように再剥離粘着剤層４３を露出させる。次いで、図１０に示すように、粘着区画３０を、露出された再剥離粘着剤層４３が、第一情報記載区画１０に対面するように、縦区切り線２で折り返し、図１１に示すように、再剥離粘着剤層４３を介して第一情報記載区画１０と粘着区画３０とを再剥離可能に接着した状態とする。このとき、粘着区画３０は強粘着剤層４１によって第二情報記載区画２０と剥離不能に接着されているため、粘着区画３０の折り返しにともなって第二粘着記載区画２０も縦区切り線２で折り返される。
【００３９】
この状態においては、第一情報記載区画１０の店舗控え部１１Ａ及び販売者控え部１１Ｂが粘着区画３０によって隠蔽された状態となるとともに、第一情報記載区画１０及び第二情報記載区画２０が粘着区画３０によって積層一体化され、その形状が葉書サイズとなる。なお、葉書サイズとは、９０〜１０７×１４０〜１５４ｍｍである。また、葉書として郵送するには６ｇ以下である必要があるため、本発明に係る払込取扱票用シートは、郵送して使用する際の形態において、6ｇ以下であるのが望ましく、基紙、再剥離性粘着剤の塗布量等は、これを考慮して適宜に定めるのが望ましい。なお、本発明は葉書サイズであればよく、葉書として郵送できる6ｇ以下に必ずしも限定されない。
【００４０】
次いで、上記のとおり葉書サイズとした後には、宛名情報記載部２２に記入された宛先に郵便物として送付する。受取人は、再剥離性粘着剤４１を再剥離することで、第一情報記載区画１０と粘着区画３０とが剥離し、上記第一情報記載区画１０及び粘着区画の再剥離粘着剤層形成面に記入された情報が読み取り可能となるとともに、払込取扱票として機能する状態となる。受取人は、払込取扱票により必要な払い込みを行う。
【００４１】
（第二実施形態）
次いで、本発明の第二実施形態を図１２〜図２２を参照しながら説明する。なお、第一の実施形態と同様の構成は詳細を省略し、特に第二実施形態に特有の構成を説明する。
【００４２】
「構造例」
第二実施形態の払込取扱票用シート１は、図１２及び図１５に示すように、第一の実施形態と同様に、一枚のシート状をなし、交差する縦区切り線２と横区切り線３とによって、第一情報記載区画１０、第二情報記載区画２０、粘着区画３０及び切り離し区画４０の四つの葉書サイズの矩形区画に分けられている。各区画における不変印刷、各控え部や宛名部等の配置は第一実施形態と同様である。
【００４３】
第二実施形態は、特に層構造及び区切り線の構成が、上記第一実施形態と異なっている。図示の形態は、第一情報記載区画１０、第二情報記載区画２０、切り離し区画４０及び粘着区画３０に共通する一枚の基紙層５、基紙層５の一方面の特に粘着区画３０に積層される第一剥離紙４２、基紙層５の他方面側の全面に積層される第二剥離紙４４と、を有している。但し、第二剥離紙４３は、粘着区画３０と切り離し区画４０のみに積層されている態様であってもよい。
【００４４】
第一剥離紙４２は、第一実施形態と同様に、粘着区画３０の一方面に形成された強粘着剤層４１を被覆保護するように設けられている。
【００４５】
第二剥離紙４４は、粘着区画３０の他方面に形成された再剥離粘着剤層４３を被覆保護するとともに、第一情報記載区画１０、第二情報記載区画２０及び切り離し区画３０とは、非剥離性の粘着剤によって剥離不能に接着されている。すなわち、第二剥離紙４４は、粘着区画３０において剥離可能であるがその他の区画とは剥離不能となっている。
【００４６】
さらに、第二剥離紙４４は、第二情報記載区画２０と粘着区画３０との間又はこの間にごく近接する位置にスリット線４７またはミシン目線が配されている。つまり、第二情報記載区画２０と粘着区画３０とを区切る横区切り線３上又はこれにごく近接して平行にスリット線４７又はミシン目線が配置されている。第二剥離紙４４は、このスリット線４７等によって、第二情報記載区画２０と粘着区画３０との間又はこの間とごく近接する位置で容易に分離するようになっている。なお、ミシン目線とスリット線とではより容易に分離しやすいスリット線のほうが望ましい。
【００４７】
他方、第二実施形態では、前記粘着区画３０と切り離し区画４０とは第二剥離紙４４以外が横区切り線３で分離可能とされている。図示の形態では、第二剥離紙４４以外の層において粘着区画３０と切り離し区画４０との間にスリット線４８が形成されており、容易に分離するようになっている。
【００４８】
他方で、第二実施形態では、第一情報記載区画１０と切り離し区画４０とは、数点のアンカット部４９，４９を有するスリット線５０で連結されている。このスリット線５０は、基紙層５から第二剥離紙４４に至るまでカットされている。したがって、第一情報記載区画１０と切り離し区画４０とは、基紙層５と第二剥離紙４４とがともに容易に分離されるようになっている。スリット線５０は、これに限らずミシン目線とすることもできる。
【００４９】
このように、第二実施形態では、第一情報記載区画１０と第二情報記載区画２０とは縦区切り線２を挟んで折り返し可能に隣接し、第一情報記載区画１０と前記切り離し区画４０とは横区切り線３を挟んで切り離し可能に隣接し、第二情報記載区画２０と前記粘着区画３０とが横区切り線３を挟んで折り返し可能に隣接し、さらに、粘着区画３０と切り離し区画４０とは、縦区切り線２を挟んで隣接しているとともに第二剥離紙４４のみ切り離し可能になっていない。そして、さらに特に第二剥離紙４４は、粘着区画４０と第二情報記載区画２０との間又はそのごく近傍で切り離し可能となっている。
【００５０】
なお、図示の形態は、第二剥離紙４４が、第一情報記載区画１０及び第二情報記載区画２０を構成する基紙層５をも被覆する形態であるが、第二実施形態は、第二剥離紙４４は、切り離し区画４０と粘着区画３０のみに存在する形態であってもよい。この場合には、当然、第一情報記載区画１０と切り離し区画４０との間のスリット線は、基紙層５のみに設けられていればよく、また、粘着区画３０と第二情報記載区画１０との間のスリット線４８も必要がない。
【００５１】
また、第二剥離紙４４と第一情報記載区画１０、第二情報記載区画２０及び切り離し区画４０とを剥離不能に接着するには非剥離性粘着剤のほか再剥離性粘着剤を使用することもできる。図示の形態では、第一情報記載区画１０、第二情報記載区画２０及び切り離し区画４０、さらに粘着区画３０を構成する基紙層５の他方面全体に第二再剥離粘着剤層４３を形成する再剥離性粘着剤を塗布して層を形成し、第二剥離紙４４の粘着区画３０に対応する部分のみ第二剥離層４６を設けるようにしている。このようにすれば、第二剥離紙４４は、粘着区画３０において第二再剥離粘着剤層４３に対して剥離可能に接着され、その他の区画とは強接着して剥離不能となる。
【００５２】
「使用方法例」
次いで、第二実施形態の払込取扱票用シート１使用方法を説明する。まず、図１２及び図１３に示す枚葉の状態において、第一実施形態と同様に、通販会社等の払込取扱票の発行者やその委託先等において、必要な可変情報、不変情報等の印刷を行う。第二実施形態でも、宛名情報記載部への宛名の印刷は、必ずしもこの最初に行わなくてもよい。
【００５３】
次いで、図１６に示すように、粘着区画３０における第一剥離紙４２を剥離し、図１７に示すように強粘着剤層４１を露出させる。次いで、図１８に示すように、切り離し区画４０及び粘着区画３０を、露出された強粘着剤層４１が、第二情報記載区画２０に対面するように、横区切り線３で折り返して強粘着剤層４１を介して第二情報記載区画２０と粘着区画３０とを剥離不能に接着した状態とする。なお、このとき、切り離し区画４０は第一情報記載区画１０に重なるが両区画１０，４０は接着された状態にならない。
【００５４】
この状態において、第二情報記載区画と粘着区画３０とが剥離不能に接着し、その形状が２枚の葉書サイズの区画が長辺で隣接する大きさとなる。
【００５５】
次いで、図１９〜図２１に示すように切り離し区画４０を持つなどして切り離し区画４０を第一情報記載区画１０から離すように操作するなどして、前記折り返しを開くように操作する。このとき、切り離し区画４０は、第一情報記載区画１０と接着していないため切り離し区画４０は第一情報記載区画１０から当然に離れる。他方で、切り離し区画４０と粘着区画３０とは、第二剥離紙４４以外の部分が、スリット線４７によってあらかじめ分離しているとともに、第二剥離紙４４は切り離し区画４０と剥離不能に接着され、第二再剥離粘着剤４３とは剥離可能に接着しているため、上記折り返しを開く操作をすると粘着区画３０は、第二剥離紙４４以外の部分が、第二情報記載区画２０との接着を維持して残り、第二剥離紙４４の部分のみ切り離し区画３０につられて再剥離粘着層４３から離れる。また、このとき、切り離し区画３０と第一情報記載区画１０とは、数か所のアンカット部４９以外はスリット線５０によって分離されているため切り離し区画４０を引っ張る操作等の簡易な操作でアンカット部４９が破壊され両区画１０，４０は切り離される。なお、アンカット部５０は、折り返しに先立ってカットしておいてもよい。
【００５６】
かくして、図２２に示すように、切り離し区画４０が、第一情報記載区画１０及び粘着区画３０の第二剥離紙４４以外の部分から分離され、第一情報記載区画１０と第二情報記載区画２０と、第二情報記載区画２０に接着された状態でかつ再剥離粘着剤層４３を露出した状態の粘着区画３０が形成される。すなわち、第二実施形態では、切り離し区画４０の切り離し操作によって、第二剥離紙４４の再剥離粘着層４３からの剥離をすることができる。
【００５７】
この後は、第一実施形態の図１０と同様に、粘着区画３０を、露出された再剥離粘着剤層４３が、第一情報記載区画１０に対面するように、縦区切り線２で折り返し、前記再剥離粘着剤層４３を介して第一情報記載区画１０と粘着区画３０とを再剥離可能に接着した状態にする。このとき、粘着区画３０は第二情報記載区画２０と接着されているため、粘着区画３０の折り返しにともなって第二粘着記載区画２０も縦区切り線２で折り返される。この後の操作は、第一実施形態と同様である。
【００５８】
（第三実施形態）
次いで、本発明の第三実施形態を図２３〜図２８を参照しながら説明する。なお、第一の実施形態及び第二実施形態と同様の構成は詳細を省略し、特に第三実施形態に特有の構成を説明する。
【００５９】
「構造例」
第三実施形態は第二実施形態と切り離し区画の構成が異なる。
【００６０】
第三実施形態の払込取扱票用シート１は、図２３に示すように、切り離し区画４０において、第二剥離紙４４以外の部分にスリット線５１で囲まれた他の部分から分離可能な領域５５が形成されている。
【００６１】
この分離領域５５の第二剥離紙４４に対面する側には強粘着層６０が形成されている。一方、第二剥離紙４４は、前記分離領域５５に対面する部分にも剥離層５６が形成されており、前記分離領域５５が第二剥離紙４４から剥離できるようなっている。剥離層５６は、第二再剥離粘着剤層に対する剥離層４６と同一種の離型剤で同一層として構成してもよい。
【００６２】
その他の構成については、上記第二実施形態と同様である。
【００６３】
「使用方法例」
第三実施形態では、図２３に示す枚葉の状態で、例えば、前記分離領域５５に宛名情報を印刷する。
【００６４】
また、第三の実施形態では、図１６〜図１９を参照して説明した上記第二実施形態と同様に、粘着区画３０における第一剥離紙４２を剥離し、強粘着剤層４１を露出させ、切り離し区画４０及び粘着区画３０を、露出された強粘着剤層４１が、第二情報記載区画１０に対面するように、横区切り線４で折り返して強粘着剤層４１を介して第二情報記載区画２０と粘着区画１０とを剥離不能に接着した状態とする。
【００６５】
次いで、図２５及び図２６に示すように、切り離し区画４０を持つなどして切り離し区画４０を第一情報記載区画１０から離すように操作するなどし、前記折り返しを開くように操作する。このとき、第二実施形態と同様に、切り離し区画４０は、第一情報記載区画１０と接着していないため切り離し区画４０を第一情報記載区画１０から離すようにすれば当然に離れる。他方で、切り離し区画４０と粘着区画３０とは、第二剥離紙４４以外の部分が、スリット線４７によってあらかじめ分離しているとともに、第二剥離紙４４は切り離し区画４０と剥離不能に接着され、粘着区画３０とは剥離可能に接着しているため、上記折り返しを開く操作をすると粘着区画３０は、第二剥離紙４４以外の部分は第二情報記載区画１０との接着を維持し、第二剥離紙４４は切り離し区画４０につられて再剥離粘着層４３から剥離される。また、このとき、切り離し区画４０と第一情報記載区画１０とは、数か所のアンカット部４９以外はスリット線５０によって分離されているため切り離し区画４０を引っ張る操作等の簡易な操作でアンカット部４９が破壊され両区画１０，４０は切り離される。なお、本形態もアンカット部５０は、折り返しに先立ってカットしておいてもよい。
【００６６】
切り離し区画４０と分離された、第一情報記載区画１０、第二情報記載区画２０及び粘着区画３０は、第二実施形態と同じ構成となるので、第二実施形態と同様の手順で折り畳み葉書サイズとする。
【００６７】
ここで、第三実施形態では、第一情報記載区画１０、第二情報記載区画２０及び粘着区画３０から分離された切り離し区画４０に前記分離領域５５が残る。この分離領域５５は、一方面に宛名情報が印刷されているとともに、他方面には強粘着剤層６０が形成され、さらに第二剥離紙４４から剥離可能となっている。
【００６８】
したがって、この領域を切り離し区画４０の他の部分から分離すると宛名ラベル７０が形成される。この宛名ラベル７０を第一情報記載区画１０、第二情報記載区画２０及び粘着区画３０で構成される葉書サイズのシートに貼付することで、宛名を有する葉書となる。その後の使用方法は、第一実施形態と同様である。
【符号の説明】
【００６９】
１…払込取扱票用シート、２…縦区切り線、３…横区切り線、１０…第一情報記載区画、２０…第二情報記載区画、３０…粘着区画、４０…切り離し区画、１１Ａ，１１Ｂ，２１…払込取扱票情報記入部、２Ａ…区分けミシン目、２２…宛名情報記載部、５…基紙層、４１…強粘着剤層、４２…第一剥離紙、４３…再剥離粘着層、４４…第二剥離紙、４５…第一剥離層、４６…第二剥離層、４７，４８，５０，５１…スリット線、４９…アンカット部、５５…分離領域、５６…剥離層、６０…強粘着剤層、７０…宛名ラベル。
【図１】
2019043057.tif 000003
【図２】
2019043057.tif 000004
【図３】
2019043057.tif 000005
【図４】
2019043057.tif 000006
【図５】
2019043057.tif 000007
【図６】
2019043057.tif 000008
【図７】
2019043057.tif 000009
【図８】
2019043057.tif 000010
【図９】
2019043057.tif 000011
【図１０】
2019043057.tif 000012
【図１１】
2019043057.tif 000013
【図１２】
2019043057.tif 000014
【図１３】
2019043057.tif 000015
【図１４】
2019043057.tif 000016
【図１５】
2019043057.tif 000017
【図１６】
2019043057.tif 000018
【図１７】
2019043057.tif 000019
【図１８】
2019043057.tif 000020
【図１９】
2019043057.tif 000021
【図２０】
2019043057.tif 000022
【図２１】
2019043057.tif 000023
【図２２】
2019043057.tif 000024
【図２３】
2019043057.tif 000025
【図２４】
2019043057.tif 000026
【図２５】
2019043057.tif 000027
【図２６】
2019043057.tif 000028
【図２７】
2019043057.tif 000029
【図２８】
2019043057.tif 000030